(57)【要約】【課題】有線インターフェースを必要とせずに、一方の無線端末から他方の無線端末に対してアクセスポイントと接続するための接続情報を設定する。【解決手段】キャプチャ機器１００は、文字を入力するための入力機器を備えていないため、アクセスポイント１５０に接続するためのＳＳＩＤや暗号鍵を手入力できない。そこで、あらかじめタブレット端末１３０がアクセスポイント１５０に接続するためのＳＳＩＤや暗号鍵を取得し、それをキャプチャ機器１００に送信する。これにより、キャプチャ機器１００は、アクセスポイント１５０に接続し、アクセスポイント１５０を介して動画や静止画などの画像データをタブレット端末１３０に転送して表示させることができるようになる。【選択図】図１
2014017548.tif 000002
【特許請求の範囲】
【請求項１】
無線通信システムであって、
情報表示部と情報入力部とを備えた情報処理装置と、画像を入力する画像入力装置とを備え、
前記情報処理装置と前記画像入力装置との間でアクセスポイントを経由して無線通信を確立するにあたり、
前記情報処理装置は、前記アクセスポイントを経由して前記画像入力装置と無線通信を確立するための接続情報を前記情報入力部から受け付けた後、前記アクセスポイントを経由せず前記画像入力装置に前記接続情報を直接送信する一方、
前記画像入力装置は、前記情報処理装置から受信した前記接続情報を用いて前記アクセスポイントに接続することにより、接続した前記アクセスポイントを経由して前記情報処理装置との無線通信を確立することを特徴とする無線通信システム。
【請求項２】
前記情報処理装置は、前記アクセスポイントを経由せず前記画像入力装置に前記接続情報を直接送信するにあたり、アドホックモードにより送信することを特徴とする請求項１に記載の無線通信システム。
【請求項３】
無線通信システムであって、
画像を入力する画像入力装置と、
前記画像入力装置により入力された画像を表示する画像表示装置と
を有し、
前記画像入力装置は、
画像を入力する画像入力部と、
第１の無線ＬＡＮ通信部と、
前記第１の無線ＬＡＮ通信部が無線ＬＡＮ通信により相手と接続するための接続情報を記憶する第１の記憶部と、
前記第１の無線ＬＡＮ通信部を制御する第１の制御部と
を有し、
前記画像表示装置は、
画像を表示する画像表示部と、
アクセスポイントと接続するための接続情報の入力を受け付ける受付部と、
第２の無線ＬＡＮ通信部と、
前記第２の無線ＬＡＮ通信部が無線ＬＡＮ通信により相手と接続するための接続情報を記憶する第２の記憶部と、
前記第２の無線ＬＡＮ通信部を制御する第２の制御部と
を有し、
前記第１の制御部は、前記第１の記憶部にアクセスポイントと接続するための接続情報が記憶されていないと判定すると、前記第１の無線ＬＡＮ通信部が前記アクセスポイントを介さずに前記画像表示装置の前記第２の無線ＬＡＮ通信部と接続するための接続情報を前記第１の記憶部から読み出し、
前記第１の無線ＬＡＮ通信部は、前記読み出された接続情報を用いて前記アクセスポイントを介さずに前記画像表示装置の前記第２の無線ＬＡＮ通信部と接続し、前記アクセスポイントと接続するための接続情報を要求し、
前記第２の制御部は、前記第２の無線ＬＡＮ通信部が前記アクセスポイントを介さずに前記第１の無線ＬＡＮ通信部と接続し、前記アクセスポイントと接続するための接続情報を要求されると、前記受付部により受け付けられた前記アクセスポイントと接続するための接続情報を前記第２の無線ＬＡＮ通信部を介して送信し、
前記第１の制御部は、前記アクセスポイントと接続するための接続情報を前記第１の無線ＬＡＮ通信部を介して受信すると、前記第１の記憶部に記憶させ、
前記第１の無線ＬＡＮ通信部は、前記第１の記憶部から読み出した前記アクセスポイントと接続するための接続情報を用いて前記アクセスポイントに接続することを特徴とする無線通信システム。
【請求項４】
前記第１の制御部は、前記第１の記憶部に１つ以上のアクセスポイントと接続するための接続情報が記憶されているときに、当該接続情報を使用して前記第１の無線ＬＡＮ通信部に当該アクセスポイントに対する接続を試行させ、当該アクセスポイントとの接続に失敗すると、前記第１の無線ＬＡＮ通信部が前記アクセスポイントを介さずに前記第２の無線ＬＡＮ通信部と接続するための接続情報を読み出して、当該読み出した接続情報を使用して前記第１の無線ＬＡＮ通信部に前記第２の無線ＬＡＮ通信部と接続させることを特徴とする請求項３に記載の無線通信システム。
【請求項５】
前記第１の制御部は、前記アクセスポイントと接続するための接続情報の編集要求を前記画像表示装置から受信すると、当該編集要求に従って当該接続情報を編集し、当該編集された接続情報を前記第１の記憶部に記憶させることを特徴とする請求項３または４に記載の無線通信システム。
【請求項６】
前記第１の制御部は、前記アクセスポイントと接続するための接続情報の削除要求を前記画像表示装置から受信すると、当該削除要求に従って当該接続情報を前記第１の記憶部から削除することを特徴とする請求項３ないし５のいずれか１項に記載の無線通信システム。
【請求項７】
前記第１の制御部は、前記画像表示装置から前記アクセスポイントと接続するための接続情報の追加要求を受信すると、当該追加要求に従って当該接続情報を前記第１の記憶部に記憶させることを特徴とする請求項３ないし６のいずれか１項に記載の無線通信システム。
【請求項８】
画像を入力し、無線ＬＡＮ通信により画像を画像表示装置へ送信する画像入力装置であって、
画像を入力する画像入力部と、
第１の無線ＬＡＮ通信部と、
前記第１の無線ＬＡＮ通信部が無線ＬＡＮ通信により相手と接続するための接続情報を記憶する第１の記憶部と、
前記第１の無線ＬＡＮ通信部を制御する第１の制御部と
を有し、
前記第１の制御部は、前記第１の記憶部にアクセスポイントと接続するための接続情報が記憶されていないと判定すると、前記アクセスポイントを介さずに前記画像表示装置と接続するための接続情報を前記第１の記憶部から読み出し、
前記第１の無線ＬＡＮ通信部は、前記読み出された接続情報を用いて前記アクセスポイントを介さずに前記画像表示装置と接続し、前記アクセスポイントと接続するための接続情報を要求し、前記画像表示装置の受付部により受け付けられた前記アクセスポイントと接続するための接続情報を前記第１の無線ＬＡＮ通信部を介して受信し、当該接続情報を前記第１の記憶部に記憶させ、
前記第１の無線ＬＡＮ通信部は、前記第１の記憶部から読み出した前記アクセスポイントと接続するための接続情報を用いて前記アクセスポイントに接続することを特徴とする画像入力装置。
【請求項９】
前記第１の制御部は、前記第１の記憶部に１つ以上のアクセスポイントと接続するための接続情報が記憶されているときに、当該接続情報を使用して前記第１の無線ＬＡＮ通信部に当該アクセスポイントに対する接続を試行させ、当該アクセスポイントとの接続に失敗すると、前記第１の無線ＬＡＮ通信部が前記アクセスポイントを介さずに前記画像表示装置と接続するための接続情報を読み出して、当該読み出した接続情報を使用して前記第１の無線ＬＡＮ通信部に前記画像表示装置と接続させることを特徴とする請求項８に記載の画像入力装置。
【請求項１０】
前記第１の制御部は、前記画像表示装置から前記アクセスポイントと接続するための接続情報の編集要求を受信すると、当該編集要求に従って当該接続情報を編集し、当該編集された接続情報を前記第１の記憶部に記憶させることを特徴とする請求項８または９に記載の画像入力装置。
【請求項１１】
前記第１の制御部は、前記画像表示装置から前記アクセスポイントと接続するための接続情報の削除要求を受信すると、当該削除要求に従って当該接続情報を前記第１の記憶部から削除することを特徴とする請求項８ないし１０のいずれか１項に記載の画像入力装置。
【請求項１２】
前記第１の制御部は、前記画像表示装置から前記アクセスポイントと接続するための接続情報の追加要求を受信すると、当該追加要求に従って当該接続情報を前記第１の記憶部に記憶させることを特徴とする請求項８ないし１１のいずれか１項に記載の画像入力装置。
【請求項１３】
無線通信システムであって、
第１の無線端末と、
第２の無線端末と
を有し、
前記第１の無線端末は、
アクセスポイントを介さずに前記第２の無線端末と直接的に無線通信する際に使用されるデフォルト接続情報を予め記憶するデフォルト接続情報記憶手段と、
前記アクセスポイントと無線通信する際に使用されるアクセスポイント接続情報を前記第２の無線端末から受信すると、当該アクセスポイント接続情報を記憶するアクセスポイント接続情報記憶手段と、
前記アクセスポイント接続情報記憶手段に前記アクセスポイント接続情報が記憶されていないときに、前記デフォルト接続情報記憶手段に記憶されている前記デフォルト接続情報を使用して前記第２の無線端末に接続して、前記アクセスポイント接続情報を前記第２の無線端末から受信し、前記アクセスポイント接続情報をアクセスポイント接続情報記憶手段に記憶させ、前記アクセスポイント接続情報記憶手段に前記アクセスポイント接続情報が記憶されると、当該アクセスポイント接続情報を使用して前記アクセスポイントと接続し、当該アクセスポイントを介して前記第２の無線端末と通信する第１の無線通信手段と
を有し、
前記第２の無線端末は、
前記アクセスポイント接続情報の入力を受け付ける受付手段と、
前記アクセスポイントを介さずに前記第２の無線端末と直接的に無線通信し、前記受付手段により受け付けられた前記アクセスポイント接続情報を前記第１の無線端末に送信し、前記アクセスポイント接続情報を使用して前記アクセスポイントと接続し、当該アクセスポイントを介して前記第１の無線端末と無線通信する第２の無線送信手段と
を有し、前記第１の無線端末は、前記アクセスポイント接続情報を受け付けるユーザインターフェースを有していないことを特徴とする無線通信システム。
【請求項１４】
無線通信システムにおいて使用される無線端末であって、
アクセスポイントを介さずに他の無線端末と直接的に無線通信する際に使用されるデフォルト接続情報を予め記憶するデフォルト接続情報記憶手段と、
前記アクセスポイントと無線通信する際に使用されるアクセスポイント接続情報が前記他の無線端末において入力され、当該アクセスポイント接続情報を前記他の無線端末から受信すると、当該アクセスポイント接続情報を記憶するアクセスポイント接続情報記憶手段と、
前記アクセスポイント接続情報記憶手段に前記アクセスポイント接続情報が記憶されていないときに、前記デフォルト接続情報記憶手段に記憶されている前記デフォルト接続情報を使用して前記他の無線端末に接続して、前記アクセスポイント接続情報を前記他の無線端末から受信し、前記アクセスポイント接続情報をアクセスポイント接続情報記憶手段に記憶させ、前記アクセスポイント接続情報記憶手段に前記アクセスポイント接続情報が記憶されると、当該アクセスポイント接続情報を使用して前記アクセスポイントと接続し、当該アクセスポイントを介して前記他の無線端末と通信する無線通信手段と
を有し、前記無線端末は、前記アクセスポイント接続情報を受け付けるユーザインターフェースを有していないことを特徴とする無線端末。
【請求項１５】
無線通信システムであって、
画像を入力する画像入力装置と、
前記画像入力装置により入力された画像を表示する画像表示装置と
を有し、
前記画像入力装置は、
アクセスポイントを介さずに前記画像表示装置と直接的に無線通信する際に使用されるデフォルト接続情報を予め記憶するデフォルト接続情報記憶手段と、
前記アクセスポイントと無線通信する際に使用されるアクセスポイント接続情報を前記画像表示装置から受信すると、当該アクセスポイント接続情報を記憶するアクセスポイント接続情報記憶手段と、
前記アクセスポイント接続情報記憶手段に前記アクセスポイント接続情報が記憶されていないときに、前記デフォルト接続情報記憶手段に記憶されている前記デフォルト接続情報を使用して前記画像表示装置に接続して、前記アクセスポイント接続情報を前記画像表示装置から受信し、前記アクセスポイント接続情報をアクセスポイント接続情報記憶手段に記憶させ、前記アクセスポイント接続情報記憶手段に前記アクセスポイント接続情報が記憶されると、当該アクセスポイント接続情報を使用して前記アクセスポイントと接続し、当該アクセスポイントを介して前記画像表示装置と通信する第１の無線通信手段と
を有し、
前記画像表示装置は、
前記アクセスポイント接続情報の入力を受け付ける受付手段と、
前記アクセスポイントを介さずに前記画像表示装置と直接的に無線通信し、前記受付手段により受け付けられた前記アクセスポイント接続情報を前記画像入力装置に送信し、前記アクセスポイント接続情報を使用して前記アクセスポイントと接続し、当該アクセスポイントを介して前記画像入力装置と無線通信する第２の無線送信手段と
を有することを特徴とする無線通信システム。
【請求項１６】
画像を入力する画像入力装置であって、
アクセスポイントを介さずに画像表示装置と直接的に無線通信する際に使用されるデフォルト接続情報を予め記憶するデフォルト接続情報記憶手段と、
前記アクセスポイントと無線通信する際に使用されるアクセスポイント接続情報の入力を受け付けた前記画像表示装置から当該アクセスポイント接続情報を受信すると、当該アクセスポイント接続情報を記憶するアクセスポイント接続情報記憶手段と、
前記アクセスポイント接続情報記憶手段に前記アクセスポイント接続情報が記憶されていないときに、前記デフォルト接続情報記憶手段に記憶されている前記デフォルト接続情報を使用して前記画像表示装置に接続して、前記アクセスポイント接続情報を前記画像表示装置から受信し、前記アクセスポイント接続情報をアクセスポイント接続情報記憶手段に記憶させ、前記アクセスポイント接続情報記憶手段に前記アクセスポイント接続情報が記憶されると、当該アクセスポイント接続情報を使用して前記アクセスポイントと接続し、当該アクセスポイントを介して前記画像表示装置と通信する第１の無線通信手段と
を有することを特徴とする画像入力装置。
【発明の詳細な説明】
【技術分野】
【０００１】
アクセスポイントを介して複数の無線端末が通信するための接続情報を無線端末間で受け渡す技術に関する。
【背景技術】
【０００２】
無線ＬＡＮでは、アクセスポイントを介して複数の無線端末が通信するインフラストラクチャモードと、アクセスポイントを介さずに複数の無線端末が通信するアドホックモードとが存在する。インフラストラクチャモードでは、複数の無線端末のそれぞれが、アクセスポイントに設定されている接続情報（ＳＳＩＤ、暗号鍵情報等）を設定する必要がある。
【０００３】
従来は、アクセスポイントに設定されている接続情報をアクセスポイントから無線端末に接続して設定するWi-Fi Protected Setup（ＷＰＳ）とよばれる方法が提案されている（非特許文献１）。
【先行技術文献】
【非特許文献】
【０００４】
【非特許文献１】Wi-Fi Protected Setup(TM), http://www.wi-fi.org/knowledge-center/articles/wi-fi-protected-setup
【発明の概要】
【発明が解決しようとする課題】
【０００５】
一般に、タブレット端末は、無線ＬＡＮ通信機能を備えているため、画像カメラ等の周辺機器から無線ＬＡＮ通信により画像を受信できれば便利であろう。しかし、ＷＰＳにしたがって周辺機器にアクセスポイントの接続情報を設定するには、アクセスポイントを操作する必要がある。つまり、アクセスポイントに設けられたＷＰＳの開始スイッチをユーザが操作しなければならない。周辺機器を利用することが想定されるユーザは、必ずしもＷＰＳに習熟しているとは限らないため、この操作は面倒であろう。
【０００６】
一方で、ＵＳＢ（ユニバーサルシリアルバス）などの有線インターフェースをキャプチャ機器に設け、有線インターフェースを介してアクセスポイントの接続情報をタブレット端末から送信することも考えられる。しかし、無線インターフェースと有線インターフェースとの両方を周辺機器に搭載すると、製造コスト、設置スペースおよび消費電力等の観点から不利であろう。
【０００７】
また、周辺機器にキーボードと表示装置とを設け、ユーザが接続情報を直接的に周辺機器に入力することも考えられる。しかし、これでは、周辺機器が大掛かりな機器となってしまい、ユーザにとっての利便性も減ってしまうだろう。つまり、片手で持てるような周辺機器を実現することは難しくなってしまう。なお、ここでは、周辺機器とタブレット端末を一例としたが、これら以外の用途の無線端末でも同様の課題が存在する。
【０００８】
そこで、本発明は、有線インターフェースを必要とせずに、一方の無線端末から他方の無線端末に対してアクセスポイントと接続するための接続情報を設定することを目的とする。
【課題を解決するための手段】
【０００９】
本発明によれば、無線通信システムであって、
情報表示部と情報入力部とを備えた情報処理装置と、画像を入力する画像入力装置とを備え、
前記情報処理装置と前記画像入力装置との間でアクセスポイントを経由して無線通信を確立するにあたり、
前記情報処理装置は、前記アクセスポイントを経由して前記画像入力装置と無線通信を確立するための接続情報を前記情報入力部から受け付けた後、前記アクセスポイントを経由せず前記画像入力装置に前記接続情報を直接送信する一方、
前記画像入力装置は、前記情報処理装置から受信した前記接続情報を用いて前記アクセスポイントに接続することにより、接続した前記アクセスポイントを経由して前記情報処理装置との無線通信を確立することを特徴とする無線通信システムが提供される。
【発明の効果】
【００１０】
本発明によれば、有線インターフェースを必要とせずに、一方の無線端末から他方の無線端末に対してアクセスポイントと接続するための接続情報を設定できるようになる。
【図面の簡単な説明】
【００１１】
【図１】画像入力装置、画像表示装置およびアクセスポイントを有する無線通信システムの一例を示す図である。
【図２】アクセスポイントの接続情報をタブレット端末からキャプチャ機器に設定する処理のシーケンスを示した図である。
【図３】キャプチャ機器がタブレット端末から受信したアクセスポイントの接続情報を使用してアクセスポイントと接続する処理のシーケンスを示した図である。
【図４】キャプチャ機器のブロック図である。
【図５】タブレット端末のブロック図である。
【図６】キャプチャ機器１００が実行する処理を示すフローチャートである。
【図７】キャプチャ機器１００が実行する処理を示すフローチャートである。
【図８】ダイアログ８００の一例を示した図である。
【発明を実施するための形態】
【００１２】
本発明は、有線インターフェースを必要とせずに、一方の無線端末から他方の無線端末に対してアクセスポイントと接続するための接続情報を設定できるようにしたことを特徴としている。具体的には、情報処理装置と画像入力装置との間でアクセスポイントを経由して無線通信を確立するにあたり、情報処理装置は、アクセスポイントを経由して画像入力装置と無線通信を確立するための接続情報をハードウエアキーやソフトウエアキーなどの情報入力部から受け付ける。その後、情報処理装置は、アクセスポイントを経由せず画像入力装置に直接的に無線接続し、接続情報を直接送信する。一方で、画像入力装置は、情報処理装置から受信した接続情報を用いてアクセスポイントに接続することにより、接続したアクセスポイントを経由して情報処理装置との無線通信を確立する。これにより、接続情報を手入力できないような画像入力装置に対しても、情報処理装置から設定できるようになる。情報処理装置は、情報表示部を備え、アクセスポイント介して画像入力装置が受信した画像を表示してもよい。
【００１３】
図１は、実施例にかかる画像入力装置、画像表示装置およびアクセスポイントを有する無線通信システムを示している。画像を入力する画像入力装置の一例であるキャプチャ機器１００は、人間の肌の画像を読み取ったり、生物や植物、機械などの拡大画像を取得したりする。画像入力装置により入力された画像を表示する画像表示装置または情報処理装置の一例であるタブレット端末１３０は、キャプチャ機器１００が送信する画像データを受信して表示する。タブレット端末１３０およびキャプチャ機器１００は、無線端末や無線ＬＡＮ端末、または、単に端末と呼ばれてもよい。
【００１４】
アクセスポイント１５０が存在しない場合、キャプチャ機器１００とタブレット端末１３０とはアドホックモードにより無線通信を実行する。また、タブレット端末１３０は、インフラストラクチャモードによりアクセスポイント１５０と接続するための接続情報を有している。接続情報としては、たとえば、ＳＳＩＤ、ＥＳＳＩＤ、暗号化方式、暗号鍵などの情報がある。タブレット端末１３０は、接続情報をＷＰＳによりアクセスポイント１５０から取得してもよいし、タブレット端末１３０のタッチパネルからユーザによって接続情報を入力されてもよい。キャプチャ機器１００は、キーボードなどの文字情報の入力機器を備えていないため、ユーザは、直接的に接続情報をキャプチャ機器１００に入力することができない。そこで、本実施例では、キャプチャ機器１００がアドホックモードでタブレット端末１３０と接続し、接続情報を要求する。タブレット端末１３０は、キャプチャ機器１００から受信した要求に従って、アクセスポイント１５０の接続情報をキャプチャ機器１００に送信する。キャプチャ機器１００は、タブレット端末１３０から受信した接続情報を使用してインフラストラクチャモードによりアクセスポイント１５０に接続する。
【００１５】
＜接続情報設定処理の概要＞
図２は、アクセスポイント１５０の接続情報をタブレット端末１３０からキャプチャ機器１００に設定する処理のシーケンスを示した図である。キャプチャ機器１００は、アクセスポイント接続情報を受け付けるユーザインターフェースを有していないことを前提としている。
【００１６】
Ｓ１０１で、キャプチャ機器１００は、アクセスポイント１５０の接続情報を保持していないため、アドホックモードでタブレット端末１３０と接続し、タブレット端末１３０に接続情報を要求する。タブレット端末１３０は、アドホックモードでキャプチャ機器１００と接続し、接続情報の要求信号を受信する。
【００１７】
Ｓ１０２で、タブレット端末１３０は、キャプチャ機器１００から接続情報を要求されると、表示部に接続情報を入力するためのダイアログを表示し、接続情報の入力を受け付ける。なお、すでにアクセスポイント１５０の接続情報を記憶している場合は、接続情報の入力の受け付けを省略してもよい。
【００１８】
Ｓ１０３で、タブレット端末１３０は、受け付けた接続情報をキャプチャ機器１００に送信する。キャプチャ機器１００は、接続情報を受信する。
【００１９】
Ｓ１０４で、キャプチャ機器１００は、受信した接続情報を記憶する。この際に、キャプチャ機器１００は、受信した接続情報を使用するために、再起動を実行してもよい。
【００２０】
図３は、キャプチャ機器１００がタブレット端末１３０から受信したアクセスポイント１５０の接続情報を使用してアクセスポイント１５０と接続する処理のシーケンスを示した図である。
【００２１】
Ｓ１０５で、タブレット端末１３０は、アクセスポイント１５０の接続情報を使用してアクセスポイント１５０と接続しているものとする。ここでは、インフラストラクチャモードが使用されている。
【００２２】
Ｓ１０６で、キャプチャ機器１００は、アクセスポイント１５０の接続情報を記憶部から読み出す。
【００２３】
Ｓ１０７で、キャプチャ機器１００は、読み出した接続情報を使用してインフラストラクチャモードでアクセスポイント１５０との接続を試行する。なお、キャプチャ機器１００は、アクセスポイント１５０との接続の試行が失敗した場合、さらに、別のアクセスポイントの接続情報が記憶部に記憶されているかを判定する。別のアクセスポイントの接続情報が記憶部に記憶されていれば、キャプチャ機器１００は、その接続情報を読み出して接続を試行する。別のアクセスポイントの接続情報が記憶部に記憶されていなければ、キャプチャ機器１００は、Ｓ１０１からの処理を再度実行する。このようにして、キャプチャ機器１００は、タブレット端末１３０と同一のネットワーク（同一のセグメント）に参加することになる。
【００２４】
Ｓ１０８で、キャプチャ機器１００は、アクセスポイント１５０を介してタブレット端末１３０と通信を開始し、画像データを転送する。画像データは、動画や静止画などである。
【００２５】
＜接続情報設定処理の詳細＞
図４は、キャプチャ機器１００のブロック図である。ＣＰＵ１は、キャプチャ機器１００の各部を統括的に制御する制御部である。たとえば、ＣＰＵ１は、第１の無線ＬＡＮ通信部である無線通信部６を制御する第１の制御部として機能する。ＲＡＭ２はワークエリアとして機能する記憶部である。ＲＯＭ３は、書き換え可能な不揮発性のメモリであり、各種のプログラムやデータなどを記憶している。たとえば、ＲＯＭ３は、無線通信部６が無線ＬＡＮ通信により相手と接続するための接続情報を記憶する第１の記憶部として機能する。なお、書き換え可能な不揮発性のメモリとは、フラッシュ、ＥＥＰＲＯＭ、バッテリーバックアップ方式のＲＡＭなどである。画像読取部５は、画像を読み取るための光学系、撮像素子、画像データを作成するための画像処理を実行する画像処理部などを備えている。このように、画像読取部５は画像を入力する画像入力部として機能する。無線通信部６は、ＩＥＥＥ８０２．１１ａ、ｂ、ｇ、ｎなどの無線ＬＡＮプロトコルにしたがって無線通信を実行する。制御プログラム７は、画像のキャプチャ処理や無線通信処理などを制御するプログラムである。デフォルト接続情報８は、アクセスポイント１５０の接続情報を受信するためにアドホックモードによってタブレット端末１３０と接続するための接続情報である。タブレット端末１３０の接続情報は、アドホック通信で必要となるＳＳＩＤ、暗号鍵などの情報を含む。なお、ＳＳＩＤは、アクセスポイント１５０の接続情報を要求するキャプチャ機器１００であることを示すために、タブレット端末１３０にとって既知の特定のＳＳＩＤであってもよい。ＡＰ接続情報９は、タブレット端末１３０から受信したアクセスポイント１５０の接続情報である。ＡＰはアクセスポイントの略称である。まだ、アクセスポイント１５０の接続情報を受信していないときは、アクセスポイント１５０の接続情報はＲＯＭ３には記憶されていない。
【００２６】
図５は、タブレット端末１３０のブロック図である。ＣＰＵ１１は、タブレット端末１３０の各部を統括的に制御する制御部である。たとえば、ＣＰＵ１１は、第２の無線ＬＡＮ通信部である無線通信部１６を制御する第２の制御部として機能する。ＲＡＭ１２はワークエリアとして機能する記憶部である。ＲＯＭ１３は、書き換え可能な不揮発性のメモリであり、各種のプログラムやデータなどを記憶している。ＲＯＭ１３は、無線通信部１６が無線ＬＡＮ通信により相手と接続するための接続情報を記憶する第２の記憶部として機能する。操作部１４は、キーボードまたはタッチパネルなどの文字情報の入力機器である。操作部１４やＣＰＵ１１は、アクセスポイントと接続するための接続情報の入力を受け付ける受付部として機能する。表示部１５は、液晶色や自発光式の表示装置であり、キャプチャ機器１００から受信した画像を表示したり、操作部１４から入力された情報を表示したりする。このように、表示部１５は画像を表示する画像表示部として機能する。無線通信部１６は、ＩＥＥＥ８０２．１１ａ、ｂ、ｇ、ｎなどの無線ＬＡＮプロトコルにしたがって無線通信を実行する。制御プログラム１７は、画像の表示処理や接続情報の設定処理などを制御するプログラムである。デフォルト接続情報１８は、アクセスポイント１５０の接続情報をキャプチャ機器１００に送信するためにアドホックモードによってキャプチャ機器１００と接続するための接続情報である。キャプチャ機器１００と接続するための接続情報は、アドホック通信で必要となるＳＳＩＤ、暗号鍵などの情報を含む。タブレット端末１３０に保持されているデフォルト接続情報１８は、キャプチャ機器１００に保持されているデフォルト接続情報８と基本的に同一である。ＡＰ接続情報１９は、アクセスポイント１５０から受信したか、操作部１４から入力されたアクセスポイント１５０の接続情報である。まだ、アクセスポイント１５０の接続情報を取得していないときは、アクセスポイント１５０の接続情報はＲＯＭ１３には記憶されていない。なお、ＣＰＵ１１は、インターネット上にアプリケーションサーバ（Ｇｏｏｇｌｅ（登録商標） ＰｌａｙやＡｐｐ ｓｔｏｒｅ（登録商標）など）から制御プログラム１７およびデフォルト接続情報１８をダウンロードしてＲＯＭ１３に書き込んでもよい。
【００２７】
図６は、キャプチャ機器１００が実行する処理を示すフローチャートである。
【００２８】
Ｓ２０１で、ＣＰＵ１は、ＲＯＭ３からＡＰ接続情報９を読み出そうとする。
【００２９】
Ｓ２０２で、ＣＰＵ１は、ＡＰ接続情報９の読み出しに成功したかどうかを判定する。ＡＰ接続情報９がＲＯＭ３に記憶されていれば、通常、ＡＰ接続情報９の読み出しに成功する。ＡＰ接続情報９の読み出しに成功すると、Ｓ２０３に進む。なお、ＡＰ接続情報９がＲＯＭ３に記憶されていないときは、読み出しに失敗する。この場合は、Ｓ２０５に進む。
【００３０】
Ｓ２０３で、ＣＰＵ１は、無線通信部６に無線局から送信されるビーコンをスキャンするよう命令する。無線通信部６は、無線局から送信されるビーコンをスキャンし、スキャンした結果をＣＰＵ１に返す。
【００３１】
Ｓ２０４で、ＣＰＵ１は、スキャン結果に基づいて、接続可能なＡＰが存在するかどうかを判定する。たとえば、ＣＰＵ１は、ＲＯＭ３から読み出した接続情報と、ビーコンから取得された接続情報とを比較し、両者が一致していれば、接続可能なアクセスポイント（ＡＰ）があると判定する。なお、複数のアクセスポイントが見つかったときは、ＣＰＵ１は最も受信レベルの高いビーコンを送信しているアクセスポイントを選択する。接続可能なＡＰが存在する場合はＳ２０８に進み、接続可能なＡＰが存在しない場合はＳ２０５に進む。
【００３２】
Ｓ２０５で、ＣＰＵ１は、タブレット端末１３０とアドホックモードで直接的に接続するためのデフォルト接続情報８をＲＯＭ３から読み出す。このように、ＣＰＵ１は、第１の記憶部にアクセスポイントと接続するための接続情報が記憶されていないと判定すると、第１の無線ＬＡＮ通信部が画像表示装置の第２の無線ＬＡＮ通信部とアクセスポイントを介さずに接続するための接続情報を第１の記憶部から読み出す。
【００３３】
Ｓ２０６で、ＣＰＵ１は、デフォルト接続情報８にしたがってタブレット端末１３０と接続するよう無線通信部６に命令する。無線通信部６はデフォルト接続情報８にしたがってタブレット端末１３０とアドホックモードで直接的に接続する。このように、タブレット端末１３０の第２の無線ＬＡＮ通信部がキャプチャ機器１００の第１の無線ＬＡＮ通信部とアクセスポイント１５０を介さずに接続する。
【００３４】
Ｓ２０７で、ＣＰＵ１は、タブレット端末１３０に対してＡＰ接続情報を要求し、タブレット端末１３０からＡＰ接続情報を受信し、タブレット端末１３０から受信したＡＰ接続情報をＲＯＭ３に記憶させる。このように、ＣＰＵ１や無線通信部６は、読み出された接続情報を用いて画像表示装置の第２の無線ＬＡＮ通信部とアクセスポイントを介さずに接続し、アクセスポイントと接続するための接続情報を要求する。なお、タブレット端末１３０のＣＰＵ１１は、アクセスポイント１５０と接続するための接続情報を要求されると、タブレット端末１３０の受付部により受け付けられたアクセスポイント１５０と接続するための接続情報をタブレット端末１３０の無線通信部１６を介して送信する。また、キャプチャ機器１００のＣＰＵ１は、無線通信部６を介してアクセスポイント１５０と接続するための接続情報を受信すると、記憶部であるＲＯＭ３に記憶させる。その後、ＣＰＵ１は、タブレット端末１３０から受信したＡＰ接続情報を使用してアクセスポイント１５０と接続するために、Ｓ２０１に戻る。Ｓ２０１ないしＳ２０４を実行し、アクセスポイント１５０が発見されると、Ｓ２０８に進む。
【００３５】
Ｓ２０８で、ＣＰＵ１は、無線通信部６を制御し、ＡＰ接続情報９を用いてインフラストラクチャモードによりアクセスポイント１５０と接続する。このように、無線通信部６は、ＲＯＭ３から読み出したアクセスポイント１５０と接続するための接続情報を用いてアクセスポイント１５０に接続する。
【００３６】
Ｓ２０９で、ＣＰＵ１は、無線通信部６を制御し、アクセスポイント１５０を介してタブレット端末１３０と接続し、通信を開始する。
【００３７】
Ｓ２１０で、ＣＰＵ１は、画像読取部５を制御して画像をキャプチャして画像データを取得し、タブレット端末１３０へ送信する。
【００３８】
図７は、キャプチャ機器１００が実行する処理を示すフローチャートである。ＣＰＵ１１は、操作部１４から、キャプチャ機器１００に対するＡＰ接続情報の設定を開始する指示が入力されると、本フローチャートにかかる処理を実行する。
【００３９】
Ｓ３０１で、ＣＰＵ１１は、キャプチャ機器１００とアドホックモードで直接的に接続するためのデフォルト接続情報１８をＲＯＭ１３から読み出す。
【００４０】
Ｓ３０２で、ＣＰＵ１１は、ＲＯＭ１３から読み出したデフォルト接続情報１８にしたがってキャプチャ機器１００と接続するよう無線通信部１６に命令する。無線通信部１６はデフォルト接続情報１８にしたがってキャプチャ機器１００とアドホックモードで直接的に接続する。
【００４１】
Ｓ３０３で、ＣＰＵ１１は、キャプチャ機器１００からＡＰ接続情報１９を要求する信号を受信したかどうかを判定する。キャプチャ機器１００からＡＰ接続情報１９を要求されると、Ｓ３０４に進む。
【００４２】
Ｓ３０４で、ＣＰＵ１１は、ＡＰ接続情報１９がすでにＲＯＭ１３に記憶されているかどうかを判定する。ＡＰ接続情報１９が記憶されていればＳ３０８に進み、ＡＰ接続情報１９が記憶されていなければＳ３０５に進む。
【００４３】
Ｓ３０５で、ＣＰＵ１１は、操作者（ユーザ）にＡＰ接続情報１９の入力を促すためのダイアログを表示部１５に表示させる。
【００４４】
図８は、ダイアログ８００の一例を示している。ダイアログ８００には、ＳＳＩＤの入力するためのテキストボックス８０１と、暗号鍵（キー）を入力するためのテキストボックス８０２とが含まれている。さらに、ダイアログ８００には、入力されたＳＳＩＤとキーとの登録を支持するための登録ボタン８０３と、登録をキャンセルするためのキャンセルボタン８０４とが含まれている。なお、登録ボタン８０３が押されるとＣＰＵ１１はＳ３０６に進み、キャンセルボタン８０４が押されると、図７のフローチャートにかかる処理をすべて終了する。
【００４５】
Ｓ３０６で、ＣＰＵ１１は、操作部１４から入力されたＡＰ接続情報１９を受け付ける。
【００４６】
Ｓ３０７で、ＣＰＵ１１は、操作部１４から入力されたＡＰ接続情報１９をＲＯＭ１３に記憶させる。
【００４７】
Ｓ３０８で、ＣＰＵ１１は、ＲＯＭ１３からＡＰ接続情報１９を読み出して、キャプチャ機器１００に送信する。
【００４８】
Ｓ３０９で、ＣＰＵ１１は、無線通信部１６を制御し、ＡＰ接続情報１９を使用してアクセスポイント１５０とインフラストラクチャモードにより接続する。
【００４９】
Ｓ３１０で、ＣＰＵ１１は、無線通信部１６を制御し、アクセスポイント１５０を介してキャプチャ機器１００との通信を開始する。
【００５０】
Ｓ３１１で、ＣＰＵ１１は、画像データを受信し、表示部１５に表示する。
【００５１】
このように本実施例によれば、アクセスポイント１５０と接続するための接続情報を手入力するための入力機器を備えていないキャプチャ機器１００であっても、タブレット端末１３０から接続情報を入手して、アクセスポイント１５０と接続できるようになる。
【００５２】
また、本実施例によれば、ＣＰＵ１は、ＲＯＭ３に１つ以上のアクセスポイントと接続するためのＡＰ接続情報９が記憶されているときに、ＡＰ接続情報９を使用して無線通信部６に当該アクセスポイントに対する接続を試行させる。無線通信部６がアクセスポイントとの接続に失敗すると、キャプチャ機器１００の無線通信部６がタブレット端末１３０の無線通信部１６とアクセスポイントを介さずに接続するためのデフォルト接続情報８をＣＰＵ１が読み出す。さらに、ＣＰＵ１は、当該読み出したデフォルト接続情報８を使用して無線通信部６に無線通信部１６と接続させることを特徴とする請求項１に記載の無線通信システム。
【００５３】
なお、ＣＰＵ１の上述した機能のすべてまたは一部はＡＳＩＣ（多用途集積回路）に実装されてもよい。また、ＲＯＭ３は、アクセスポイントを介さずに第２の無線端末と直接的に無線通信する際に使用されるデフォルト接続情報を予め記憶するデフォルト接続情報記憶手段として機能する。さらに、ＲＯＭ３は、アクセスポイントと無線通信する際に使用されるアクセスポイント接続情報を第２の無線端末から受信すると、当該アクセスポイント接続情報を記憶するアクセスポイント接続情報記憶手段としても機能する。さらに、ＣＰＵ１と無線通信部６は、アクセスポイント接続情報記憶手段にアクセスポイント接続情報が記憶されていないときに、デフォルト接続情報記憶手段に記憶されているデフォルト接続情報を使用して第２の無線端末に接続して、アクセスポイント接続情報を第２の無線端末から受信し、アクセスポイント接続情報をアクセスポイント接続情報記憶手段に記憶させ、アクセスポイント接続情報記憶手段にアクセスポイント接続情報が記憶されると、当該アクセスポイント接続情報を使用してアクセスポイントと接続し、当該アクセスポイントを介して第２の無線端末と通信する第１の無線通信手段として機能する。
【００５４】
一方で、タブレット端末１３０の機能もＣＰＵ１１やＡＳＩＣなどによって実現される。たとえば、ＣＰＵ１１は、アクセスポイント接続情報の入力を受け付ける受付手段として機能する。また、ＣＰＵ１１および無線通信部１６は、アクセスポイントを介さずに第２の無線端末と直接的に無線通信し、受付手段により受け付けられたアクセスポイント接続情報を第１の無線端末に送信し、アクセスポイント接続情報を使用してアクセスポイントと接続し、当該アクセスポイントを介して第１の無線端末と無線通信する第２の無線送信手段として機能する。
【００５５】
ところで、タブレット端末１３０は、複数のアクセスポイント１５０と接続することがある。この場合、ＲＯＭ１３には過去に接続した複数のアクセスポイント１５０それぞれについてのＡＰ接続情報１９が記憶されている。そこで、ＣＰＵ１１は、ＲＯＭ１３に記憶されているすべてのＡＰ接続情報１９をキャプチャ機器１００に送信してもよい。また、ＣＰＵ１１は、ＲＯＭ１３に記憶されているすべてのＡＰ接続情報１９を表示部１５に表示し、キャプチャ機器１００に送信すべきＡＰ接続情報１９を、操作部１４を通じて操作者に選択させてもよい。また、ＣＰＵ１１は、あらかじめ無線局のビーコンをスキャンし、最も受信レベルの高いアクセスポイントを判別し、最も受信レベルの高いアクセスポイントのＡＰ接続情報１９をキャプチャ機器１００に送信してもよい。
【００５６】
強制的に直接接続（アドホック）モードに切り替えるための指示をＣＰＵ１に入力するためのボタンをキャプチャ機器１００に設けてもよい。ＣＰＵ１は、このボタンの操作を検知すると、無線通信部６を強制的にアドホックモードに切り替える。このアドホックモードによりキャプチャ機器１００がタブレット端末１３０とアドホックネットワークを確立し、アドホックネットワークを介して画像データの送受信が実行されてもよい。
【００５７】
ところで、キャプチャ機器１００には、キーボードのような高度な入力機器が設けられていない。そのため、キャプチャ機器１００だけでは、ＲＯＭ３に書き込まれたＡＰ接続情報９の内容を編集したり、削除したり、さらに追加したりすることができない。そこで、キャプチャ機器１００とタブレット端末１３０とがアドホックモードまたはインフラストラクチャモードのいずれかで接続しているときに、タブレット端末１３０からＡＰ接続情報９の編集、削除または追加を実行してもよい。たとえば、ＣＰＵ１１が、ＡＰ接続情報９の編集、削除または追加を実行するための指示を操作部１４を通じて受け付けると、編集要求、削除要求または追加要求をキャプチャ機器１００に送信する。キャプチャ機器１００のＣＰＵ１は、この要求を受信すると、ＡＰ接続情報９を読み出して、タブレット端末１３０に送信する。タブレット端末１３０のＣＰＵ１１は、受信したＡＰ接続情報９を表示部１５に表示する。ＣＰＵ１１は、操作部１４を通じて編集されたＡＰ接続情報９をキャプチャ機器１００に送信する。ＣＰＵ１１は、操作部１４を通じて削除を指示されたＡＰ接続情報９を、キャプチャ機器１００に対して削除するよう命令する。ＣＰＵ１１は、操作部１４を通じて追加されたＡＰ接続情報９を、キャプチャ機器１００に対して追加するよう命令する。キャプチャ機器１００のＣＰＵ１は、これらの命令にしたがって、ＲＯＭ３に編集ないしは追加されたＡＰ接続情報９をＲＯＭ３に書き込んだり、削除を指定されたＡＰ接続情報９をＲＯＭ３から削除したりする。
【００５８】
本実施例では、キャプチャ機器１００とタブレット端末１３０とを無線端末の一例として説明した。しかし、無線端末としては、イメージスキャナ装置、画像形成装置（例：プリンタ、複写機、複合機、ファクシミリ装置）など、接続情報をキー入力するためのキーを備えていない無線端末であれば本発明を適用できる。また、タブレット端末１３０に代えて、同等の機能を有するノートパソコンやデスクトップパソコンが使用されてもよい。また、本実施例では、無線ＬＡＮについて説明したが、ブルートゥース（登録商標）、ワイヤレスＵＳＢなど、異なる物理レイヤの規格が採用されてもよい。タブレット端末は、スマートフォンやパッド端末も含みうる。
【００５９】
このようにして、端末２が参加する既存ネットワークに参加できるようになることで、端末２がネットワーク接続の変更を行わなくてもよいようになる。その場合、端末２は既存のネットワークであるので、インターネットなどを利用しながら、端末１と通信が可能となる。
【００６０】
本実施例では、キャプチャ機器１００から先にビーコンを出すものとして説明したが、タブレット端末１３０から先にビーコンを送信してもよい。この場合、ビーコンに含まれるＳＳＩＤは、ＡＰ接続情報１９を提供する無線端末であることを示す特定のＳＳＩＤであってもよい。このようなＳＳＩＤにすれば、キャプチャ機器１００は短時間でタブレット端末１３０を発見しやすくなるからである。
【図１】
2014017548.tif 000003
【図２】
2014017548.tif 000004
【図３】
2014017548.tif 000005
【図４】
2014017548.tif 000006
【図５】
2014017548.tif 000007
【図６】
2014017548.tif 000008
【図７】
2014017548.tif 000009
【図８】
2014017548.tif 000010